(57)【要約】【課題】この発明は、独立したトラックを、操舵機構を内蔵した支持具の支持盤に着脱可能に取り付けることができるようにしたスケートボードのトラック構造に関する。【解決手段】ウイルＷを軸支するトラック２０をニュートラル位置から左右方向にターン可能に支持すると共に、ニュートラル位置に復帰可能に付勢する支持具１を備えた構造であって、支持具１が、デッキＤに固定される台盤２と、この台盤２に左右方向へターン可能に枢着されてトラック２０を着脱可能に固定する支持盤１０とからなっており、台盤２と支持盤１０との間にはリンク片７が枢着されて、前記支持盤１０がニュートラル位置から左右方向にターンすると、コイルスプリングＳの反発力で支持盤１０をニュートラル位置に復帰させることを特徴とする。【選択図】　図２
2004081757.tif 000002
【特許請求の範囲】
【請求項１】
トラックをニュートラル位置から左右方向にターン可能に支持すると共に、ニュートラル位置に復帰可能に付勢する支持具を備えたスケートボードのトラック構造において、
支持具が、デッキに固定される台盤と、この台盤に左右方向へターン可能に枢着されてトラックを着脱可能に固定する支持盤とからなっており、
台盤と支持盤との間にリンク片が枢着されて、前記支持盤がニュートラル位置から左右方向にターンすると、リンク片により圧縮された弾性部材の反発力で支持盤をニュートラル位置に復帰させることを特徴としたスケートボードのトラック構造。
【請求項２】
台盤が筒状に突出する基台部を有しており、支持盤が上記基台部と同心大径で枢動自在に嵌着するキャップ状の受台部と、該受台部の底面から一方へ延出しトラックを着脱可能に取り付ける取付片部とからなっており、
前記基台部に受台部を外嵌し、前記基台部の軸線に沿って受台部を枢着してなることを特徴とする請求項１に記載のスケートボードのトラック構造。
【請求項３】
支持盤の取付片部の底面側に収納部が設けられて、弾性部材としてのコイルスプリングを収納しており、上記収納部の周壁にコイルスプリングの中空を貫通して延びる調整ボルトを螺着し、調整ボルトの先端にはコイルスプリングの基端側の端部と衝合するナットを調整ボルトに沿って進退可能に螺着しており、
リンク片が、断面略Ｌ状の板片からなっており、基端側が前記基台部の底面に固設された突軸に枢着され、先端側は、前記収納部内で調整ボルトに枢着される共にコイルスプリングの後端側に衝合しており、
ニュートラル位置で調整ボルトの軸線上に前記突軸が配置されており、支持盤が旋回すると突軸が前記軸線から離れ、リンク片によりコイルスプリングを反発可能に圧縮してなることを特徴とする請求項１または２に記載のスケートボードのトラック構造。
【発明の詳細な説明】
【０００１】
【発明の属する技術分野】
この発明は、スケートボードのトラック構造にかかり、特にトラックを着脱可能に取り付けることができる構造に関する。
【０００２】
【従来の技術】
従来、スケートボードのトラック構造の一例として、図７で示すように、トラックの撓みに対応してウイルＷの舵角を左右方向に変えるようにしたトラック構造が知られている。
このトラック構造３０では、ウイルＷを軸支したトラック受台部３１の頂板が円板状に形成されて、デッキＤに固着された台盤基台部３２の円形状の底面に接しており、中心位置で枢着Ｐされている。
また、台盤基台部３２にはボックス部３３が連接されており、コイルスプリングＳを収納しており、該コイルスプリングＳの中空部を貫通する調整ボルト３５により、コイルスプリングＳの弾性力を調整しうるようになっている。
また、前記トラック受台部３１の頂板には隆起部３６が設けられており、その上部に突軸３７が立設しており、台盤基台部３２の頂面に略扇状に形成された長孔３８に前記突起部３６が嵌合して、上記長孔３８の範囲で摺動しうるようになっている。
そして、上記突軸３７には、前記ボックス部３３内で調整ボルト３５に貫通して枢着され、前記コイルスプリングＳの先端側に衝合するリンク片３９の基端が枢着されている。
ニュートラル位置では、前記突軸３７は調整ボルト３５の軸線上に配置されているが、左右方向へターンする力が作用すると、前記隆起部３６および突軸３７が一定の範囲で左右に旋回し、調整ボルト３５の軸線から徐々に離れるので、これに連動するリンク片３９が引っ張られてコイルスプリングＳを反発可能に圧縮する。
トラックに左右方向の力がかからなくなると、コイルスプリングＳの弾性復帰力により、リンク片３９を介してウイルＷをニュートラル位置に復帰させる。
そのため従来のトラック構造では、トラックと、トラックを左右方向にターンさせる機構とが一体となって設けられているため、トラック部分の変更や交換を手軽に行うことができず、トラックのメンテナンスやチューニング、または交換などが行いづらいという欠点があった。
また、リンク片３９の枢動ストロークは、台盤基台部３２の頂面に形成された長孔３８によって規制されており、隆起部３６上に突軸３７を立設する必要があるので構造が複雑化し、またリンク片３９の両端の枢着点の軸線は交差しているのでリンク片３６に捻れ荷重がかかるため、十分な強度が必要となる。
更に、台盤基台部３２に対するトラック受台部３１の旋回は、枢軸Ｐに応力が集中するので、疲労しやすく耐久性の点で問題がある。
【０００３】
【発明が解決しようとする課題】
この発明は上記事情に鑑みて創案されたものであって、その主たる課題は、独立したトラックを、操舵機構を内蔵した支持具の支持盤に着脱可能に取り付けることができるようにしたスケートボードのトラック構造を提供することにある。この発明の別の課題は、簡単な構成で信頼性の高いスケートボードのトラック構造を提供することにある。
【０００４】
【課題を解決するための手段】
この発明は、上記課題を解決するために、請求項１の発明では、
トラックをニュートラル位置から左右方向にターン可能に支持すると共に、ニュートラル位置に復帰可能に付勢する支持具を備えたスケートボードのトラック構造において、
支持具が、デッキに固定される台盤と、この台盤に左右方向へターン可能に枢着されてトラックを着脱可能に固定する支持盤とからなっており、
台盤と支持盤との間にリンク片が枢着されて、前記支持盤がニュートラル位置から左右方向にターンすると、リンク片により圧縮された弾性部材の反発力で支持盤をニュートラル位置に復帰させる、という技術的手段を講じている。
また、請求項２の発明では、
前記台盤が筒状に突出する基台部を有しており、支持盤が上記基台部と同心大径で枢動自在に嵌着するキャップ状の受台部と、該受台部の底面から一方へ延出しトラックを着脱可能に取り付ける取付片部とからなっており、
前記基台部に受台部を外嵌し、前記基台部の軸線に沿って受台部を枢着してなる、という技術的手段を講じている。
更に、請求項３の発明では、
前記支持盤の取付片部の底面側に収納部が設けられて、弾性部材としてのコイルスプリングを収納しており、上記収納部の周壁にコイルスプリングの中空を貫通して延びる調整ボルトを螺着し、調整ボルトの先端にはコイルスプリングの基端側の端部と衝合するナットを調整ボルトに沿って進退可能に螺着しており、
リンク片が、断面略Ｌ状の板片からなっており、基端側が前記基台部の底面に固設された突軸に枢着され、先端側は、前記収納部内で調整ボルトに枢着される共にコイルスプリングの後端側に衝合しており、
ニュートラル位置で調整ボルトの軸線上に前記突軸が配置されており、支持盤が旋回すると突軸が前記軸線から離れ、リンク片によりコイルスプリングを反発可能に圧縮してなる、という技術的手段を講じている。
【０００５】
【発明の実施の形態】
以下に、この発明のスケートボードのトラック構造の好適実施例について図面を参照しながら説明する。
図３に示すスケートボードでは、デッキＤに、フロントウイルを軸支したトラック２０からなる前輪装置Ｗ１と、リアウイルを軸支したトラック２０を有する後輪装置Ｗ２とを装着した構造からなっている。
【０００６】
この実施例のトラック構造は、図示例の場合、後輪装置として用いられているが、この発明では、前輪側でも、前後両輪側でもいずれに用いてもよい。
このトラック構造は、図２に示すように、車輪としてのウイルＷを軸支するトラック２０を、図示のニュートラル位置から左右方向にターン可能に支持すると共にニュートラル方向に付勢する支持具１を備えた構成からなっている。
【０００７】
支持具１は、図１に示すように、デッキＤに固定される台盤２と、該台盤２に枢着されると共にトラック２０を着脱可能に固定する支持盤１０とからなっている。
【０００８】
台盤２は、図４に一層明瞭なように、デッキＤに孔３ａを介してネジ止めなどで固着するベース片３上に、筒状に突出する基台部４とからなっている。
図示例の場合、基台部４は、トラック２０装着側へ僅かに傾いて立設されている。
前記ベース片３の後方３ｂは扇状に切欠かれて基台部４の上面（デッキＤ側）が円弧状に露出しており、その中央に後述のリンク片７の一端を枢着する突軸６が突設されている（図５（ａ）参照）。
【０００９】
次に支持盤１０は、前記基台部４と同心大径に設定された略キャップ状の受台部１１と、該受台部１１の底面（図１では上面）から一方へ延出する取付片部１２とからなっており、該取付片部１２の上面（デッキＤ側）にはボックス状の収納部１３を一体に形成している。
受台部１１は断面略Ｃ字状の周壁を有し、収納部１３は断面略コ字状の周壁からなっており、受台部１１と収納部１３との中空部分が連通するように両者の周壁が一体となって、平面が略鍵穴形状に形成されている。
【００１０】
前記受台部１１は、前記基台部４の頂面および側周面を覆うように外嵌され、軸線に沿って枢軸５により前記基台部４と受台部１１とを枢着しているので、受台部１１は、基台部４を中心にして左右方向に旋回自在に連結される。
【００１１】
取付片部１２は、下面側が扁平面となって、デッキＤに対して傾斜するように配置されている。
そして、トラック２０を固定するための取付孔１２ａを四隅に穿設している。
この取付片部１２に取り付けるトラック２０は、公知のトラック２０が用いられる。
【００１２】
本実施例で一例を示すトラック２０は、図２や図４に示すように、ピボット孔を有する台部２１に、ウイルＷを軸支するハンガー２３とピボット２４を有する本体部２２をブッシュゴム２５を介してキングピン２６で固着した構成からなっている。
そして、台部２１に穿設された取付孔２１ａを前記取付片部１２の取付孔１２ａと整合して、ボルトを貫通しナットで緊締するなどしてトラック２０を支持盤１０に着脱可能に固定する。
ここで、支持盤１０にはトラック２０を直接に固着するが、公知のスペーサー（図示せず）を取付片部１２との間に介設してトラック２０を取り付けてもよい。
本実施例では、スケートボードの前輪装置と、後輪装置とで用いるトラック２０を同一構造としたが、両者は異なる形状や構造であってもよい。
【００１３】
次に、収納部１３には、コイルスプリングＳが嵌め込まれる。
また、収納部１３の周壁で、前記開放側と対向する後壁１３ａの中央には、先端にネジが刻設された調整ボルト１４が螺着されて収納部１３の中央を長手方向に延びており、ローレットが形成された頭部１４ａが後壁１３ａに掛け止められている。
ここで、調整ボルト１４の頭部１４ａの位置に対応する取付片部１２の後端中央１２ｂは切欠かれており、前記頭部１４ａとぶつからないようになっている。
【００１４】
この調整ボルト１４は、収納部１３内で前記コイルスプリングＳの中央の中空を貫通して延びており、調整ボルト１４の先端には、収納部１３内で回転しないように角形に形成された板状ナット１５が螺着されている。
【００１５】
従って、調整ボルト１４の頭部１４ａを回すことにより、板状ナット１５を調整ボルト１４の軸方向に沿って螺進退させることができる。
この板状ナット１５は、前記コイルスプリングＳの先端と衝合しており、後述のリンク片７と共に、コイルスプリングＳを反撥可能に圧縮する。
【００１６】
次に、台盤２と支持盤１０との間にはリンク片７が架け渡される。
このリンク片７は、断面略Ｌ状の板片からなっており、長手片７ａの先端が、前記基台部４の上面に固設された突軸６に枢着され、折れ曲がった短手片７ｂには孔８が穿設されており、前記収納部１３内でコイルスプリングＳを覆い、このコイルスプリングＳの後端に接した位置で前記調整ボルト１４が貫挿しており、リンク片７の後端が枢着されている。
【００１７】
従って、前記調整ボルト１４の頭部１４ａを締付方向に回すと、板状ナット１５とリンク片７の端部７ｂとの間に挟まれたコイルスプリングＳが、板状ナット１５のリンク片７へ向かう進動で徐々に圧縮され、逆方向に回すと板状ナット１５の退動で徐々に圧縮が弱まるようになっており、弾性力の微調整を行うことができる。
【００１８】
次に、このスケートボードのトラック構造の作用について説明する。
図５のニュートラル位置から、デッキＤ上のプレーヤの重心移動や動きによって、偏った力が加えられると、その力に応じ前記枢軸５を支点にして支持具１の支持盤１０と共にトラック２０が一方にターンする。
上記支持盤１０の左右方向への枢動は、同時にリンク片７を連動して変位させる（図６参照）。
【００１９】
ここで突軸６は、図５に示すニュートラル位置では、調整ボルト１４の軸線上に配置されて最短距離となっているが、図６で例示するターン位置では、支持盤１０の枢動に比例して、突軸６は前記調整ボルト１４の軸線から徐々に離れるので、突軸６と調整ボルト１４とに両端が枢着されているリンク片７を、コイルスプリングＳを圧縮する方向に引っ張ることになる。
【００２０】
これにより、ニュートラル位置から左右方向にターンする場合には、舵角が大きくなるほどコイルスプリングＳの反発力が強くなってターン方向に作用する外力を減衰させ、またターン方向に外力がかからなくなると、上記コイルスプリングＳに蓄えられた弾性反発力でトラック２０をニュートラル位置に戻すようになっている。
【００２１】
ここで、本実施例で支持具１は、図１、図２に示すように、その支持盤１０の取付片部１２を傾斜面に設定しているので、トラック２０のデッキＤへの取付角度が変わるが、取付片部１２がデッキに対して水平面となるように設定してもよい。
その他要するにこの発明の要旨を変更しない範囲で種々設計変更しうること勿論である。
【００２２】
【発明の効果】
この発明のスケートボードのトラック構造では、支持具にトラックを着脱可能に取り付けることができるので、ユーザーは、別体の完成したトラックの中から最適のトラックを選択して、使用することができる。
また、トラックのチューンナップや修理、交換に際しても、トラックを取り外して容易に行うことができる。
また、ターンに際して、支持具では、筒状の基台部の頂面および側周面を覆うようにキャップ状の受台部を被せて旋回させるので、旋回以外の方向に外力が加わっても、損傷する虞れがなく、また安定したターンを行うことができる。
また、リンク片は、基台部の上面に突設した突軸と、調整ボルトとに枢着されているだけであるので、構成が簡単であり、信頼性に優れる。
【図面の簡単な説明】
【図１】トラック構造の支持具の実施例を示す底面側から見た斜視図である。
【図２】支持具にトラックを装着したトラック構造を示す底面側から見た斜視図である。
【図３】このトラック構造を用いたスケートボードの底面側から見た斜視図である。
【図４】トラック構造の支持具の断面図である。
【図５】（ａ）はニュートラル位置での支持具の底面図、（ｂ）は同位置での調整ボルトに枢着された収納部内のリンク片を示す断面図である。
【図６】（ａ）は一方へターンした位置での支持具の底面図、（ｂ）は同位置での調整ボルトに枢着された収納部内のリンク片を示す断面図である。
【図７】従来のトラック構造を示す断面図である。
【符号の説明】
１　　支持具
２　　台盤
３　　ベース片
４　　基台部
５　　枢軸
６　　突軸
７　　リンク片
１０　　支持盤
１１　　受台部
１２　　取付片部
１３　　収納部
１４　　調整ボルト
１５　　板状ナット
２０　　トラック
２１　　台部
２２　　本体部
２５　　ブッシュゴム
２６　　キングピン
２３　　ハンガー
２４　　ピボット
Ｗ　　　ウイル
Ｄ　　　デッキ
【図１】
2004081757.tif 000003
【図２】
2004081757.tif 000004
【図３】
2004081757.tif 000005
【図４】
2004081757.tif 000006
【図５】
2004081757.tif 000007
【図６】
2004081757.tif 000008
【図７】
2004081757.tif 000009